(57)【特許請求の範囲】
【請求項１】
使用者が出入り可能な空間が設けられたテントであって、
高さ方向に展開及び圧縮可能なテント本体と、前記テント本体に一体となって連結される天井部と、を備え、
前記天井部は、前記使用者が搭乗する搭乗スペースを有し、前記使用者と共に水上で浮遊可能に構成された浮力体であり、
前記テント本体及び前記天井部は、その内部に空気を注入することにより、それぞれが別個独立して組立て可能に構成されているテント。
【請求項２】
前記テント本体は、前記天井部と対向する床部を有する、請求項１に記載のテント。
【請求項３】
前記床部は、その内部に空気を注入することにより組立可能なエアマットとして構成されている、請求項２に記載のテント。
【請求項４】
前記テント本体は、前記空間と外部とを連通する開口窓部と、前記開口窓部を閉口する閉口手段と、を有する、請求項１〜３の何れかに記載のテント。
【請求項５】
前記空間が複数設けられ、
前記テント本体は、隣接する前記空間に介在する仕切り窓部を有する、請求項１〜４の何れかに記載のテント。
【請求項６】
前記仕切り窓部は、開閉可能に設けられている、請求項５に記載のテント。
【請求項７】
前記天井部は、前記空間に光を透過させる透光部を有する、請求項１〜６の何れかに記載のテント。
【請求項８】
前記天井部は、前記透光部を通過した光を遮光可能に設けられた遮光部を有する、請求項７に記載のテント。
【請求項９】
前記搭乗スペースは、前記使用者が配置される窪み部を含む、請求項１〜８の何れかに記載のテント。
【請求項１０】
隣接する前記テント本体を互いに連結する連結手段を備える、請求項１〜９の何れかに記載のテント。
【請求項１１】
水を供給可能な給水手段を備える、請求項１〜１０の何れかに記載のテント。
【発明の詳細な説明】
【技術分野】
【０００１】
本発明は、災害発生時等の緊急時に使用するテントに係るものである。
【背景技術】
【０００２】
通常、大きな災害等が発生した際には、人々は、避難指示が解除されるまで学校等の緊急避難場所に集まり、過ごすこととなる。
【０００３】
緊急避難場所には、食糧や就寝具等が常備されていることが通常であるが、特に就寝具に関しては、現状簡易的なマットやシートのみであるため、人々は、これらを用いた雑魚寝を強いられる。
【０００４】
このような状況下において、人々は、緊急時である不安やプライベートのない空間、寝心地の良くない状態に大きなストレスを感じ、精神的、肉体的に辛い状況に置かれることが問題となっている。
【０００５】
このような問題点を解決するために、閉空間を形成可能なテントを災害時等に使用することが検討されており、例えば、特許文献１に記載のような特に防災用、運動会などのイベントに使用されるテント等の活用が期待されている。
【０００６】
特許文献１に記載のテントは、支持気嚢を膨らませて固定片を立ち上げ、固定片で囲まれた部分に気柱を立設して天幕を被せることにより、テントを張ることができる技術が記載されている。
また、固定片が確実に立ち上がるため、テント内への水の侵入を確実に防止できることが記載されている。
【先行技術文献】
【特許文献】
【０００７】
【特許文献１】特開２００１−１６４７９７号公報
【発明の概要】
【発明が解決しようとする課題】
【０００８】
しかしながら、特許文献１に記載のテントは、固定片により水の侵入を防止可能であるものの、河川が氾濫した場合や、大雨により固定片の高さ以上に水が溜まる場合には、テント内に水が浸入するため、何らかの方法で安全な場所まで避難する必要があった。
即ち、河川氾濫等の水害の際には、特許文献１に記載のテントを所持していても、安全な場所まで避難することが困難であるという問題があった。
【０００９】
本発明は上記のような実状に鑑みてなされたものであり、雨等外部の環境から使用者を保護する所定の空間を確保しつつ、河川の氾濫や大雨等による緊急時に避難用具として用いることができるテントを提供することを課題とする。
【課題を解決するための手段】
【００１０】
上記課題を解決するために、本発明は、使用者が出入り可能な空間が設けられたテントであって、
高さ方向に展開及び圧縮可能なテント本体と、前記テント本体に連結される天井部と、を備え、
前記天井部は、前記使用者が搭乗する搭乗スペースを有し、前記使用者と共に水上で浮遊可能に構成された浮力体である。
【００１１】
本発明によれば、テント本体を圧縮した状態で、天井部を水面に浮かべることで、本テントは、所謂インフレータブルボートとなり、緊急時の避難用具として用いることが可能となる。
【００１２】
本発明の好ましい形態では、前記テント本体は、前記天井部と対向する床部を有する。
【００１３】
このような構成とすることで、使用者は、就寝時等に直接冷たい地べたに寝転がる必要がなくなるため、本テントの空間の使用環境をより快適なものとすることが可能となる。
【００１４】
本発明の好ましい形態では、前記テント本体は、その内部に空気を注入することにより組立て可能である。
【００１５】
このような構成とすることで、テント本体の展開及び圧縮作業を容易に行うことができ、また、テント本体が軽量化されるため、本テントの利便性が向上する。
【００１６】
本発明の好ましい形態では、前記テント本体は、前記空間と外部とを連通する開口窓部と、前記開口窓部を閉口する閉口手段と、を有する。
【００１７】
このような構成とすることで、使用者は、閉口手段を用いて本テントの空間と外部とを区画し、本テントの空間を、外部から視認されないプライベートな空間として使用することができ、本テントの利便性が向上する。
【００１８】
本発明の好ましい形態では、前記空間が複数設けられ、前記テント本体は、隣接する前記空間に介在する仕切り窓部を有する。
【００１９】
このような構成とすることで、複数の空間を玄関やリビングのように、用途別に使い分けることができ、仕切り窓部により、各空間をパーソナルな状態としておくことが可能となる。
【００２０】
本発明の好ましい形態では、前記仕切り窓部は、開閉可能に設けられている。
【００２１】
このような構成とすることで、使用状況等に応じて仕切り窓部を開口し、複数の空間を、仕切りの無い一つの空間として、開放的に使用することが可能となる。
【００２２】
本発明の好ましい形態では、前記天井部は、その内部に空気を注入することにより組立て可能である。
【００２３】
このような構成とすることで、天井部の展開及び圧縮作業を容易に行うことができ、また、天井部が軽量化されるため、本テントの利便性が向上する。
【００２４】
本発明の好ましい形態では、前記天井部は、前記空間に光を透過させる透光部を有する。
【００２５】
このような構成とすることで、本テントの空間に、太陽光等の外部からの光を透過させることができるため、本テントの空間の使用環境をより快適なものとすることが可能となる。
【００２６】
本発明の好ましい形態では、前記天井部は、前記透光部を通過した光を遮光可能に設けられた遮光部を有する。
【００２７】
このような構成とすることで、就寝時等に太陽光等の外部からの光を遮光することができるため、本テントの空間の使用環境をより快適なものとすることが可能となる。
【００２８】
本発明の好ましい形態では、前記搭乗スペースは、前記使用者が配置される窪み部を含む。
【００２９】
このような構成とすることで、本テントを所謂インフレータブルボートとして使用する際、使用者が搭乗スペースに安定的に配置され、河川の氾濫等による使用者の不意の転落を防止することが可能となる。
【００３０】
本発明の好ましい形態では、隣接する前記テント本体を互いに連結する連結手段を備える。
【００３１】
このような構成とすることで、使用者が出入り可能な空間を拡張することができ、本テントを使用可能な使用者の人数を増大させることができるため、本テントの利便性が向上する。
【００３２】
本発明の好ましい形態では、水を供給可能な給水手段を備える。
【００３３】
このような構成とすることで、飲み水の確保や身体の洗浄等を容易に行うことができるため、本テントの利便性が向上する。
【発明の効果】
【００３４】
本発明によれば、雨等外部の環境から使用者を保護する所定の空間を確保しつつ、河川の氾濫や大雨等による緊急時に避難用具として用いることができるテントを提供することができる。
【図面の簡単な説明】
【００３５】
【図１】本発明の実施形態に係るテントの概略斜視図である。
【図２】本発明の実施形態に係るテントの概略斜視図である。
【図３】本発明の実施形態に係るテントの使用方法を説明するための図である。
【図４】本発明の実施形態に係るテントの使用方法を説明するための図である。
【図５】本発明の実施形態に係るテントの使用方法を説明するための図である。
【図６】本発明の実施形態に係るテントの使用方法を説明するための図である。
【図７】本発明の実施形態に係る天井部を説明するための平面図である。
【発明を実施するための形態】
【００３６】
以下、図１〜図７を用いて、本発明の実施形態に係るテントについて説明する。
なお、以下に示す実施形態は本発明の一例であり、本発明を以下の実施形態に限定するものではない。また、これらの図において、符号１は、本実施形態に係るテントを示す。
【００３７】
図１及び図２に示すように、使用者が出入り可能な空間Ｓが設けられたテント１は、高さ方向に展開及び圧縮可能なテント本体１１と、テント本体１１に連結される天井部１２と、を備えている。
なお、図１及び図２では、テント本体１１を高さ方向に展開した状態のテント１を示している。また、以下説明の便宜上、図１及び図２において示した矢印ａの方向を前後方向とする。
【００３８】
また、テント１は、隣接するテント本体１１を互いに連結する複数の連結手段Ｃと、水を供給可能な給水手段Ｗと、を備える。
本実施形態では、給水手段Ｗは、その端部に給水タンク（図示せず）やシャワーヘッドｈ（図５参照）等を連結可能なホースである。
【００３９】
テント本体１１は、その内部に空気を注入することにより組立て可能に構成されており、天井部１２と対向する床部１１ａと、高さ方向に延び、天井部１２と床部１１ａとを連結する複数の支柱部１１ｂと、を有する。
【００４０】
また、テント本体１１は、空間Ｓと外部とを連通する複数の開口窓部１１ｃと、開口窓部１１ｃを閉口する複数の閉口手段１１ｄと、隣接する空間Ｓに介在する仕切り窓部１１ｅと、を有する。
【００４１】
ここで、空間Ｓは、前後方向に隣接して設けられた第一空間Ｓ１と第二空間Ｓ２とにより構成されている。また、以下では、第一空間Ｓ１に設けられた床部１１ａを第一床部１１ａ１、第二空間Ｓ２に設けられた床部１１ａを第二床部１１ａ２、と称する。
なお、空間Ｓを構成する空間の数や、床部１１ａを構成する床部の数は、これに限定されず、幾つであっても良い。
【００４２】
第一床部１１ａ１は、表面に複数の凹凸が設けられた、平面視で略長方形状のエアマットとして構成されている。
第二床部１１ａ２は、平面視で略長方形状の防水シートとして構成されている。
【００４３】
各支柱部１１ｂは、床部１１ａの四隅及び仕切り窓部１１ｅの左右に、それぞれ設けられている。
また、第二床部１１ａ２に設けられた支柱部１１ｂ及び仕切り窓部１１ｅの側方に設けられた支柱部１１ｂには、第一床部１１ａ１及び各支柱部１１ｂの内部に空気を注入するための空気注入バルブＶ１が設けられている。
なお、空気注入バルブＶ１を設ける位置や数は、これに限定されず、例えば、第一床部１１ａ１に設けるような構成としても良い。
【００４４】
各開口窓部１１ｃは、略長方形状に構成され、空間Ｓの周囲を囲って設けられている。
詳述すれば、開口窓部１１ｃは、第一空間Ｓ１において、第一床部１１ａ１の両長辺及び一短辺に沿って設けられ、第二空間Ｓ２において、第二床部１１ａ２の両短辺及び一長辺に沿って設けられている。
また、各開口窓部１１ｃの周縁には、閉口手段１１ｄの周縁と連結するための連結部１１ｃ１が設けられている。
【００４５】
各閉口手段１１ｄは、各開口窓部１１ｃに対応して、それぞれ一つずつ設けられ、各開口窓部１１ｃの開口面積に対応した大きさの防水シートとして構成されている。
また、各閉口手段１１ｄの周縁には、対応する開口窓部１１ｃの周縁と連結するための連結部１１ｄ１（図３、図４参照）が設けられている。
【００４６】
なお、各閉口手段１１ｄは、図１及び図２において、全て上方に巻き上げられている。そして、各閉口手段１１ｄの上方に設けられた線状の複数の留め具１１ｄ２が、各閉口手段１１ｄの周囲に巻き付けられ、締結されることで、各開口窓部１１ｃが開口状態とされている。
また、本実施形態において、連結部１１ｃ１、１１ｄ１は、線ファスナーである。これにより、各開口窓部１１ｃの迅速かつ容易な開閉作業が可能となる。
【００４７】
仕切り窓部１１ｅは、各開口窓部１１ｃと同様に、略長方形状に構成され、その周縁には、閉口手段１１ｆ（図３参照）の周縁と連結するための連結部１１ｅ１が設けられている。
なお、仕切り窓部１１ｅに対応して設けられ、仕切り窓部１１ｅを開閉可能とする閉口手段１１ｆは、その周縁に、仕切り窓部１１ｅの周縁と連結するための連結部１１ｆ１（図３参照）が設けられている点等、閉口手段１１ｄと同様の構成のため、その説明を省略する。
また、本実施形態において、連結部１１ｅ１、１１ｆ１は、線ファスナーである。これにより、仕切り窓部１１ｅの迅速かつ容易な開閉作業が可能となる。
【００４８】
各連結手段Ｃは、第一床部１１ａ１の外周面であって、その両長辺側の端面及び第二床部１１ａ２が設けられていない短辺側の端面から、それぞれ外部に突出して設けられている。
また、本実施形態において、連結手段Ｃは、線ファスナーである。これにより、隣接するテント本体１１の迅速かつ容易な連結作業が可能となる。
【００４９】
天井部１２は、その内部に空気を注入することにより組立て可能に構成されることで、水上で浮遊可能に構成された浮力体である。
【００５０】
また、天井部１２は、略四角枠体状の天井部本体１２ａと、天井部本体１２ａの上面に設けられ、第一空間Ｓ１及び第二空間Ｓ２に光を透過させる略長方形状の透光部１２ｂと、透光部１２ｂの下方に積層され、透光部１２ｂを通過した光を遮光可能に設けられた略長方形状の遮光部１２ｃと、天井部本体１２ａの一短辺側の端面に設けられた挿通部１２ｄと、を有する。
【００５１】
透光部１２ｂは、例えば合成樹脂素材で形成された透明なシート体である。
【００５２】
遮光部１２ｃは、遮光材を含んだシート体である。
また、遮光部１２ｃには、複数の窪み部Ｂ１（図６、図７参照）の周縁に沿って設けられた切り込みｎにより、遮光部１２ｃの短辺方向を軸に回動可能とされた遮光部構成体１２ｃ１が、その長辺方向に３つ設けられている。
【００５３】
さらに、遮光部１２ｃには、各遮光部構成体１２ｃ１の垂下を防止する、遮光状態維持手段ｓが設けられている。
遮光状態維持手段ｓは、本実施形態では、透光部１２ｂと各遮光部構成体１２ｃ１との対向する面にそれぞれ設けられた面ファスナーである。
なお、図１〜図３では、遮光状態維持手段ｓが設けられている箇所を、点線で示している。
【００５４】
挿通部１２ｄは、略筒状に構成され、給水手段Ｗが挿通されている。
【００５５】
以下、図３〜図５を用いて、テント本体１１を展開した状態での、テント１の使用方法について説明する。
【００５６】
図３に示すように、使用者は、各留め具１１ｄ２をほどくことで、閉口手段１１ｄを垂下させ、連結部１１ｃ１、１１ｄ１を用いて、開口窓部１１ｃ及び閉口手段１１ｄの周縁を連結させる。
このようにすることで、第一空間Ｓ１と外部の空間とを区画することができる。
【００５７】
また、使用者は、各留め具１１ｆ２をほどくことで、閉口手段１１ｆを垂下させ、連結部１１ｅ１、１１ｆ１を用いて、仕切り窓部１１ｅ及び閉口手段１１ｆの周縁を連結させる。
このようにすることで、第一空間Ｓ１と第二空間Ｓ２とを区画することができる。
なお、使用者は、使用状況等に応じて、第二空間Ｓ２の周囲に設けられた各開口窓部１１ｃについても、対応する各閉口手段１１ｄにより閉口することができる。
【００５８】
図４に示すように、使用者は、連結手段Ｃを用いて、複数の隣接するテント本体１１を互いに連結することができる。
また、図４では、一方のテント本体１１について、第二空間Ｓ２に設けられ、前後方向に開口する開口窓部１１ｃを、対応する閉口手段１１ｄにより閉口した状態で示している。
【００５９】
なお、使用者は、図４に示す状態から、隣接するテント本体１１の隣接する開口窓部１１ｃの少なくとも一方を、対応する閉口手段１１ｄにより閉口することで、隣接する第一空間Ｓ１や隣接する第二空間Ｓ２を区画することができる。また、使用者は、隣接するテント本体１１の連結をより強固にするため、例えば、隣接する支柱部１１ｂを紐状の部材で括っても良い。
【００６０】
図５に示すように、使用者は、図４に示す状態から、各テント１が備える給水手段Ｗを、別途アタッチメント等を用いて互いに連結することができる。そして、一方の給水手段Ｗの端部に給水タンク等を連結し、他方の給水手段Ｗの端部にシャワーヘッドｈを連結することで、給水手段Ｗを簡易シャワーとして用いることができる。
また、図５では、一方のテント本体１１について、第一空間Ｓ１に設けられ、前後方向に開口する開口窓部１１ｃを、対応する閉口手段１１ｄにより閉口した状態で示している。
【００６１】
ここで、前後方向に開口する開口窓部１１ｃには、テント１を、後述する図６（ｂ）の状態とし、所謂インフレータブルボートとして用いる際に水抜きを行う、貫通孔ｐが設けられている。
【００６２】
なお、テント本体１１の連結個数は２つに限られず、３つ以上の連結も当然に可能である。また、図４及び図５では、左右方向に隣接するテント本体１１を連結した状態を示したが、第一床部１１ａ１の短辺側の端面から突出して設けられた連結手段Ｃを用いて、前後方向に隣接するテント本体１１を連結することもできる。
【００６３】
以下、図６を用いて、テント本体１１を圧縮した状態での使用方法について説明する。
なお、天井部１２において、床部１１ａと対向する面全体が、使用者が搭乗する搭乗スペースＢである。
【００６４】
図６（ａ）は、図１及び図２に示す状態から、テント１を反転させ、テント本体１１を省略した状態の概略斜視図である。
図６（ｂ）は、図１及び図２に示す状態から、テント１を反転させ、テント本体１１の空気を抜くことで、テント本体１１を高さ方向に圧縮した状態の概略斜視図である。
なお、図６（ａ）では、各支柱部１１ｂが連結されている箇所を点線で示している。
【００６５】
図６（ａ）に示すように、天井部１２は、天井部本体１２ａの内周面に設けられ、その短辺方向に沿って懸架される２つの横桟部１２ｅを有する。
なお、天井部本体１２ａと各横桟部１２ｅとは一体形成され、内部で連通している。
【００６６】
搭乗スペースＢは、使用者が配置される複数の窪み部Ｂ１と、給水手段Ｗを挿通させる複数の挿通部Ｂ２と、使用者が把持する複数の持ち手部Ｂ３と、を含む。
また、搭乗スペースＢの一方の短辺側には、天井部本体１２ａ及び各横桟部１２ｅの内部に空気を注入するための空気注入バルブＶ２が設けられている。
【００６７】
窪み部Ｂ１は、２つの横桟部１２ｅにより、搭乗スペースＢの長辺方向に沿って３つ形成されている。
【００６８】
挿通部Ｂ２は、筒状に構成され、搭乗スペースＢの両長辺側に２つ、空気注入バルブＶ２が設けられていない短辺側に１つ、設けられている。
使用者は、適宜挿通部Ｂ２に給水手段Ｗを挿通させることで、第一空間Ｓ１及び第二空間Ｓ２の内部やその周辺に水を供給することができる。
【００６９】
持ち手部Ｂ３は、各窪み部Ｂ１の左右に設けられている。
【００７０】
ここで、使用者は、図１及び図２に示す状態から、空気注入バルブＶ１を介してテント本体１１内部の空気を抜き、高さ方向に圧縮し、テント１を反転させることで、図６（ｂ）に示す状態とすることができる。
【００７１】
そして、使用者は、テント１を避難用具として用いる場合、図６（ｂ）に示す状態としたテント１を、河川の水面Ｘに浮かべ、テント本体１１を介して搭乗スペースＢに搭乗する。
このようにすることで、テント１は、内部に充填された空気の浮力により浮遊する、所謂インフレータブルボートとなり、使用者は、適宜オール等の用具を用いることで、水上を移動することができる。
【００７２】
また、使用者は、テント１を図６（ｂ）に示す状態から反転させ、空気注入バルブＶ１を用いてテント本体１１に空気を注入することで、テント１を図１及び図２に示す状態とすることができ、通常の居住空間が確保されたテントとして使用することができる。
なお、テント本体１１及び天井部１２は一体形成されているが、その内部に仕切りが設けられ、各空気注入バルブＶ１、Ｖ２を用いて注入した空気が、それぞれが設けられていない各部に流入しないように構成されている。これにより、使用者は、空気注入バルブＶ１を用いて、テント本体１１のみを展開及び圧縮することができる。
【００７３】
さらに、使用者は、テント１の不使用時において、空気注入バルブＶ２を介して天井部１２内部の空気を抜くことで、テント１を、コンパクトに折り畳むことができる。
【００７４】
以下、図７を用いて、天井部１２について、さらに詳述する。
【００７５】
図７（ａ）は、図６（ａ）を搭乗スペースＢ側から見た平面図である。
図７（ｂ）は、図７（ａ）に示す状態から、透光部１２ｂによる透光を可能とした状態の平面図である。
【００７６】
図７（ａ）に示すように、遮光部１２ｃには、各遮光部構成体１２ｃ１に設けられ、透光部１２ｂによる透光を可能とするための、透光状態維持手段ｔが設けられている。
透光状態維持手段ｔは、本実施形態では面ファスナーである。
なお、第一床部１１ａ１に対向する遮光部構成体１２ｃ１に設けられた、一方の透光状態維持手段ｔについては、図１及び図２に図示している。
【００７７】
使用者は、面ファスナーである一対の遮光状態維持手段ｓの係合状態を解消させ、各遮光部構成体１２ｃ１を、遮光部１２ｃの短辺方向を軸に回動させることで、面ファスナーである一対の透光状態維持手段ｔを係合させ、図７（ａ）から図７（ｂ）に示す状態とすることができる。
このようにすることで、太陽光等の外部からの光を、透光部１２ｂより空間Ｓに透光させることができる。
【００７８】
特に、第一床部１１ａ１に対向する遮光部構成体１２ｃ１については、図７（ｂ）に示すように、各横桟部１２ｅに巻き付けた状態で、透光状態維持手段ｔが係合される。
【００７９】
本実施形態によれば、テント本体１１を圧縮した状態で、天井部１２を水面Ｘに浮かべることで、テント１が、所謂インフレータブルボートとなり、緊急時の避難用具として用いることが可能となる。
【００８０】
また、使用者は、床部１１ａを用いることで、就寝時等に直接冷たい地べたに寝転がる必要がなくなるため、空間Ｓの使用環境をより快適なものとすることが可能となる。
【００８１】
また、テント本体１１が、その内部に空気を注入することにより組立て可能であることで、テント本体１１の展開及び圧縮作業を容易に行うことができる上、テント本体１１が軽量化されるため、テント１の利便性が向上する。
【００８２】
また、テント本体１１が、空間Ｓと外部とを連通する開口窓部１１ｃと、開口窓部１１ｃを閉口する閉口手段１１ｄと、を有することで、使用者は、閉口手段１１ｄを用いて空間Ｓと外部とを区画し、空間Ｓを、外部から視認されないプライベートな空間として使用することができ、テント１の利便性が向上する。
【００８３】
また、空間Ｓが第一空間Ｓ１及び第二空間Ｓ２により構成され、テント本体が、隣接する第一空間Ｓ１及び第二空間Ｓ２に介在する仕切り窓部１１ｅを有することで、第一空間Ｓ１及び第二空間Ｓ２を玄関やリビングのように、用途別に使い分けることができ、仕切り窓部１１ｅにより、第一空間Ｓ１及び第二空間Ｓ２をパーソナルな状態としておくことが可能となる。
【００８４】
また、仕切り窓部１１ｅが開閉可能に設けられていることで、使用状況等に応じて仕切り窓部１１ｅを開口し、第一空間Ｓ１及び第二空間Ｓ２を、仕切りの無い一つの空間Ｓとして、開放的に使用することが可能となる。
【００８５】
また、天井部１２が、その内部に空気を注入することにより組立て可能であることで、天井部１２の展開及び圧縮作業を容易に行うことができる上、天井部１２が軽量化されるため、テント１の利便性が向上する。
【００８６】
また、天井部１２が、空間Ｓに光を透過させる透光部１２ｂを有することで、空間Ｓに、太陽光等の外部からの光を透過させることができるため、空間Ｓの使用環境をより快適なものとすることが可能となる。
【００８７】
また、天井部１２が、透光部を通過した光を遮光可能に設けられた遮光部１２ｃを有することで、就寝時等に太陽光等の外部からの光を遮光することができるため、空間Ｓの使用環境をより快適なものとすることが可能となる。
【００８８】
また、搭乗スペースＢが、使用者が配置される窪み部Ｂ１を含むことで、テント１を所謂インフレータブルボートとして使用する際、使用者が搭乗スペースＢに安定的に配置され、河川の氾濫等による使用者の不意の転落を防止することが可能となる。
【００８９】
また、隣接するテント本体１１を互いに連結する連結手段Ｃを備えることで、使用者が出入り可能な空間Ｓを拡張することができ、テント１を使用可能な使用者の人数を増大させることができるため、テント１の利便性が向上する。
【００９０】
また、水を供給可能な給水手段Ｗを備えることで、飲み水の確保や身体の洗浄等を容易に行うことができるため、テント１の利便性が向上する。
【００９１】
なお、上述の実施形態において示した各構成部材の諸形状や寸法等は一例であって、設計要求等に基づき種々変更可能である。
【符号の説明】
【００９２】
１          テント
Ｓ          空間
Ｓ１        第一空間
Ｓ２        第二空間
１１        テント本体
１１ａ      床部
１１ａ１    第一床部
１１ａ２    第二床部
１１ｂ      支柱部
１１ｃ      開口窓部
１１ｃ１    連結部
１１ｄ      閉口手段
１１ｄ１    連結部
１１ｄ２    留め具
１１ｅ      仕切り窓部
１１ｅ１    連結部
１１ｆ      閉口手段
１１ｆ１    連結部
１１ｆ２    留め具
ｐ          貫通孔
１２        天井部
１２ａ      天井部本体
１２ｂ      透光部
１２ｃ      遮光部
１２ｃ１    遮光部構成体
１２ｄ      挿通部
１２ｅ      横桟部
Ｂ          搭乗スペース
Ｂ１        窪み部
Ｂ２        挿通部
Ｂ３        持ち手部
ｎ          切り込み
ｓ          遮光状態維持手段
ｔ          透光状態維持手段
Ｃ          連結手段
Ｗ          給水手段
Ｖ１、Ｖ２  空気注入バルブ
ｈ          シャワーヘッド
Ｘ          水面
【要約】
【課題】雨等外部の環境から使用者を保護する所定の空間を確保しつつ、河川の氾濫や大雨等による緊急時に避難用具として用いることができるテントを提供する。
【解決手段】使用者が出入り可能な空間が設けられたテント１であって、高さ方向に展開及び圧縮可能なテント本体１１と、テント本体１１に連結される天井部１２と、を備え、天井部１２は、使用者が搭乗する搭乗スペースＢを有し、使用者と共に水上で浮遊可能に構成された浮力体である。
【選択図】図１【図１】
0006739850.tif 000002
【図２】
0006739850.tif 000003
【図３】
0006739850.tif 000004
【図４】
0006739850.tif 000005
【図５】
0006739850.tif 000006
【図６】
0006739850.tif 000007
【図７】
0006739850.tif 000008